(57)【要約】【課題】ファクシミリ通信において宛先の指定の利便性を向上させることができる通信端末装置を提供する。【解決手段】通信端末装置１は、ファクシミリを簡単な操作で実行する簡単操作モード機能を有し、予め登録された宛先を通常操作モードにおいてワンタッチで指定する第１の宛先指定キー６７と、簡単操作モードでの操作に利用される操作画面７１が表示されるタッチパネル４３と、第１の宛先指定キー６７とは別に操作画面７１に設けられ、予め登録された宛先を簡単操作モードにおいてワンタッチで指定する第２の宛先指定キー７７と、を備える。【選択図】図４
2009177525.tif 000002
【特許請求の範囲】
【請求項１】
ファクシミリを簡単な操作で実行する簡単操作モードを選択するモード選択キーと、
予め登録された宛先をワンタッチで指定する第１の宛先指定キーと、
前記モード選択キーにより前記簡単操作モードを選択した場合に、前記簡単操作モードでの操作に利用される操作画面が表示されるタッチパネルと、
前記第１の宛先指定キーとは別に前記操作画面に設けられ、予め登録された宛先を前記簡単操作モードにおいてワンタッチで指定する第２の宛先指定キーと、を備える
ことを特徴とする通信端末装置。
【請求項２】
前記第１の宛先指定キーで指定できる宛先として登録されている宛先の中から、ユーザが選択した宛先を、前記第２の宛先指定キーで指定できる宛先として登録する宛先登録部を備える
ことを特徴とする請求項１に記載の通信端末装置。
【請求項３】
前記第１の宛先指定キーで指定できる宛先が登録済みで、かつ前記第２の宛先指定キーで指定できる宛先が未登録の場合、前記第１の宛先指定キーで指定できる宛先の中から所定数の宛先を前記第２の宛先指定キーで指定できる宛先として割り当てる宛先割当部を備える
ことを特徴とする請求項１又は２に記載の通信端末装置。
【請求項４】
前記第２の宛先指定キーは宛先を示す宛先画像を含み、
前記操作画面上において各宛先の前記宛先画像の表示位置が固定されている
ことを特徴とする請求項１〜３のいずれか一項に記載の通信端末装置。
【発明の詳細な説明】
【技術分野】
【０００１】
本発明は、例えば複合機、ファクシミリ機のような通信端末装置に関する。
【背景技術】
【０００２】
ユーザの個人認証機能を有する複合機において、宛先を指定する際の利便性の向上と誤送信防止を両立させることができる複合機が提案されている（例えば特許文献１参照）。
【特許文献１】特開２００７−３００５００号公報
【０００３】
上記複合機では、アドレス入力又はファクシミリ番号入力による宛先の指定が所定数に達した宛先についてはワンタッチボタンに自動登録し、その宛先のワンタッチボタンを画面に表示するようにしている。但し、その宛先を指定したことがないユーザに対しては、その宛先のワンタッチダボタンが画面に表示されないようにしている。
【発明の開示】
【発明が解決しようとする課題】
【０００４】
本発明の目的は、ファクシミリ通信において宛先の指定の利便性を向上させることができる通信端末装置を提供することである。
【課題を解決するための手段】
【０００５】
本発明に係る通信端末装置は、ファクシミリを簡単な操作で実行する簡単操作モードを選択するモード選択キーと、予め登録された宛先をワンタッチで指定する第１の宛先指定キーと、前記モード選択キーにより前記簡単操作モードを選択した場合に、前記簡単操作モードでの操作に利用される操作画面が表示されるタッチパネルと、前記第１の宛先指定キーとは別に前記操作画面に設けられ、予め登録された宛先を前記簡単操作モードにおいてワンタッチで指定する第２の宛先指定キーと、を備える。
【０００６】
本発明に係る通信端末装置は、前記第１の宛先指定キーで指定できる宛先として登録されている宛先の中から、ユーザが選択した宛先を、前記第２の宛先指定キーで指定できる宛先として登録する宛先登録部をさらに備えるようにすることができる。
【０００７】
これによれば、第２の宛先指定キーで指定できるようにしたい宛先を、第１の宛先指定キーで指定できる宛先として既に登録されている宛先の中から選択し、第２の宛先指定キーで指定できる宛先として一括登録することができる。
【０００８】
本発明に係る通信端末装置は、前記第１の宛先指定キーで指定できる宛先が登録済みで、かつ前記第２の宛先指定キーで指定できる宛先が未登録の場合、前記第１の宛先指定キーで指定できる宛先の中から所定数の宛先を前記第２の宛先指定キーで指定できる宛先として割り当てる宛先割当部をさらに備えるようにすることができる。
【０００９】
これによれば、第２の宛先指定キーで指定できる宛先が未登録の場合でも、簡単操作モードにおいて第２の宛先指定キーで宛先を指定することができる。
【００１０】
本発明に係る通信端末装置において、前記第２の宛先指定キーは宛先を示す宛先画像を含み、前記操作画面上において各宛先の前記宛先画像の表示位置が固定されている、ようにすることができる。
【００１１】
これによれば、第２の宛先指定キーで指定できる宛先を新たに登録した場合でも、既に登録された宛先に対応する第２の宛先指定キー（宛先画像）の表示位置が移動しないので、ユーザが誤って宛先を指定するのを防止することができる。
【発明の効果】
【００１２】
本発明に係る通信端末装置によれば、第１の宛先指定キーとは別に、簡単操作モードで宛先の指定に用いることができる第２の宛先指定キーを設けている。したがって、簡単操作モードを利用するユーザが指定する宛先については、第２の宛先指定キーで指定できるようにすることができるので、上記ユーザが宛先を指定する際の利便性を向上させることができる。特に、第１の宛先指定キーで指定できる宛先が多数登録されている場合に有効である。
【発明を実施するための最良の形態】
【００１３】
本発明の実施形態について図面を用いて説明する。図１は、本実施形態に係る通信端末装置１の構成を示すブロック図である。通信端末装置１は、コピー、ファクシミリ、スキャナ及びプリンタの機能を有する複合機である。通信端末装置１としては、複合機以外に、ファクシミリ専用機でもよい。
【００１４】
通信端末装置１は、制御部３、画像読取部５、画像記録部７、表示部９、操作部１１、モデム１３、ＮＣＵ１５、ＲＯＭ１９、ＲＡＭ２１、画像メモリ２３、ハードディスク２５、コーデック２７、ＬＡＮインターフェース２９等が相互にバス３３で接続された構成を有する。制御部３は、例えばＣＰＵにより実現されており、通信端末装置１を構成する上記ハードウェアを制御すると共に通信端末装置１の動作に必要なソフトウェアを実行する。
【００１５】
画像読取部５は、ＣＣＤ等によって画像（文字、図、写真等）を読み取って画像データとして出力する。画像記録部７は、電子写真方式等のプリンタであり、画像読取部５から出力された画像データやファクシミリ通信により受信した別のファクシミリ機からの画像データを画像に戻し、この画像が記録された用紙を出力する。
【００１６】
表示部９は、通信端末装置１の動作状態、各種設定内容等を表示する。表示部９は、ＬＣＤ、ＣＲＴ等で実現される。操作部１１は、通信端末装置１の操作に必要なキー（テンキー、スタートキー、リセットキー、各種のファンクションキー等）を備える。
【００１７】
モデム１３は、通常のファクシミリ通信用のファクシミリモデムの機能を有する。また、モデム１３は、ＮＣＵ１５と直接に接続されている。ＮＣＵ１５は、公衆電話回線１７を閉結及び開放する機能の他に、通信する相手方の電話番号に応じたダイヤルパルスを送出する機能及び着信を検出する機能を有する。また、ＮＣＵ１５は、モデム１３を必要に応じて公衆電話回線１７に接続する。
【００１８】
ＲＯＭ１９は、フラッシュメモリ等により実現されており、通信端末装置１の動作に必要なソフトウェアを記憶している。ＲＡＭ２１は、ＳＲＡＭ、ＤＲＡＭ等により実現されている。ＲＡＭ２１は、ソフトウェアの実行時に発生するデータの一時的な記憶及びアプリケーションソフトの記憶等に利用される。    
【００１９】
画像メモリ２３は、ＤＲＡＭ等で実現されており、送信すべき画像データ、受信した画像データ及び画像読取部５から出力された画像データ等を一時的に記憶する。ハードディスク２５は、ファクシミリ通信の対象となる画像データ等を記憶する。通信端末装置１ではファクシミリの送信予約情報や通信履歴に、通信対象となる画像を含めている。この画像を形成するのにハードディスク２５に記憶されている上記画像データを利用する。
【００２０】
コーデック２７は、画像データを符号化圧縮すると共に符号化圧縮されている画像データを復号する。ＬＡＮインターフェース２９は、通信端末装置１がＬＡＮ３１と通信可能に接続するインターフェースである。
【００２１】
図２は、通信端末装置１に備えられる操作パネル４１の一例の平面図である。操作パネル４１は、図１の表示部９及び操作部１１として機能する。操作パネル４１は、タッチパネル４３及び各種のハードキー（モード選択キー４５、テンキー４７、スタートキー４９、クリアキー５１、リセットキー５３、割込みキー５５等）を備える。各キーは、通常の複合機に備えられるそれらの名称のキーと同様の目的で使用される。例えば、「ファクシミリ」のモード選択キー４５を押すことにより、通信端末装置１をファクシミリモードに切り替えることができる。
【００２２】
本実施形態に係る通信端末装置１は簡単操作モードと称する機能を有する。簡単操作モードでは、ファクシミリ等で利用できる各種設定を基本的な設定に制限することにより、ファクシミリ等を簡単な操作で実行できるようにしている。ファクシミリ、コピー、スキャナのそれぞれについて簡単操作モードを利用することができる。なお、簡単操作モードと異なり、ファクシミリ等で利用できる各種設定を基本的な設定に制限せずに、各種設定を利用できるようにした操作モードを、本明細書では通常操作モードを称する。
【００２３】
簡単操作モードは、「簡単操作」のモード選択キー４５を押すことによって選択することができる。例えば、ファクシミリの簡単操作モードを選択するには、「ファクシミリ」のモード選択キー４５を押してから「簡単操作」のモード選択キー４５を押す。なお、「簡単操作」のモード選択キー４５を押してから「ファクシミリ」のモード選択キー４５を押してもよい。
【００２４】
次に、タッチパネル４３に表示される操作画面について説明する。図３は、タッチパネル４３に表示された操作画面６１を示す図である。本実施形態では大型サイズ（例えば８．５インチ）のタッチパネル４３が用いられる。操作画面６１は、通常操作モードにおいてファクシミリを実行する場合にその操作に利用される初期画面である。操作画面６１には、画質等の設定キー６３、宛先表６５、第１の宛先指定キー６７及びページ切り替えボタン６９等が含まれる。
【００２５】
宛先表６５には、短縮ダイヤルに登録されている宛先を示す宛先画像が含まれる。各宛先画像が第１の宛先指定キー６７となる。通信端末装置１では、短縮ダイヤルに例えば５００件の宛先が登録可能にされている。宛先表６５の１ページには１２件分の宛先が表示される。ページ切り替えボタン６９を押すことによって、宛先表６５のページが切り替えられる。
【００２６】
ファクシミリ送信をする宛先に対応する第１の宛先指定キー６７を押すことにより、その宛先を指定することができる。すなわち、第１の宛先指定キー６７は、予め登録された宛先をワンタッチで指定することができるキーである。なお、第１の宛先指定キー６７としては、操作画面６１に含まれるソフトキーに限定されず、図２の操作パネル４１に備えられた図示しないワンタッチキー（ハードキー）でもよい。
【００２７】
タッチパネル４３に操作画面６１が表示された状態で図２に示す「簡単操作」のモード選択キー４５を押した場合、タッチパネル４３に表示される画面は操作画面６１から図４に示す操作画面７１に切り替わる。すなわち、モード選択キー４５により簡単操作モードを選択した場合、タッチパネル４３には簡単操作モードでの操作に利用される操作画面７１が表示される。
【００２８】
操作画面７１には、設定キー７３、宛先表７５、第２の宛先指定キー７７、ページ切り替えボタン７９及びタブ８１が含まれる。設定キー７３は、図３に示す通常操作モードでの操作画面６１に含まれる設定キー６３に比べて数が少なくされている。また、設定キー７３の名称は、操作に不慣れなユーザでも容易に理解できる内容にされている。
【００２９】
宛先表７５には、簡単操作モードで指定できる宛先を示す宛先画像が含まれる。各宛先画像が第２の宛先指定キー７７となる。ファクシミリ送信をする宛先に対応する第２の宛先指定キー７７を押すことにより、その宛先を指定することができる。すなわち、第２の宛先指定キー７７は、図３の第１の宛先指定キー６７とは別に操作画面７１に設けられ、予め登録された宛先を簡単操作モードにおいてワンタッチで指定することができるキーである。
【００３０】
宛先表７５の１ページに６件分の宛先が表示される。ページ切り替えボタン７９を押すことにより、宛先表７５のページを切り替えることができる。第２の宛先指定キー７７で指定できる宛先数の上限を第１の宛先指定キー６７で指定できる宛先数の上限より少なくしている。例えば、第１の宛先指定キー６７で指定できる宛先数の上限が５００件であるのに対して、第２の宛先指定キー７７で指定できる宛先数の上限を３０件にしている。
【００３１】
これは第２の宛先指定キー７７で指定できる宛先数が多い場合、宛先表７５から宛先を探すのに手間がかかるからであり、簡単操作モードでは宛先表７５から宛先を容易に探すことができるようにするためである。
【００３２】
簡単操作モードにおいて、宛先を指定する手段として宛先表７５の他に、図５に示すテンキー８３がある。タブ８１によって宛先表７５とテンキー８３を切り替える。「テンキー」のタブ８１を押すことにより、操作画面７１はテンキー８３を含む操作画面８５に切り替わり、「宛先表」のタブ８１を押すことにより、操作画面８５が操作画面７１に切り替わる。
【００３３】
操作画面８５は簡単操作モードにおいて、テンキー８３で宛先の番号を入力することにより宛先を指定する画面である。操作画面８５には、テンキー８３で入力された番号が表示される番号入力欄８７及び各種のソフトキー（設定キー７３、テンキー８３、リセットキー８９、クリアキー９１、割込みキー９３等）が含まれる。なお、本実施形態では、簡単操作モードの操作画面７１，８５にスタートキーを含めていないが、スタートキーを含めてもよい。このようにすれば、操作画面７１，８５の操作だけでファクシミリを送信することができる。
【００３４】
以上説明したように本実施形態に係る通信端末装置１によれば、図３に示すように通常操作モードで宛先の指定に用いることができる第１の宛先指定キー６７を操作画面６１に設けている。第１の宛先指定キー６７とは別に図４に示すように簡単操作モードで宛先の指定に用いることができる第２の宛先指定キー７７を操作画面７１に設けている。したがって、簡単操作モードを利用するユーザが指定する宛先については、第２の宛先指定キー７７で指定できるようにすることができるので、上記ユーザが宛先を指定する際の利便性を向上させることができる。特に、第１の宛先指定キー６７で指定できる宛先が多数登録されている場合に有効である。
【００３５】
次に、第２の宛先指定キー７７で指定できる宛先の登録について説明する。この登録は、第１の宛先指定キー６７で指定できる宛先の登録（すなわち短縮ダイヤルの登録）と別に行われる。本実施形態に係る通信端末装置１は、第１の宛先指定キー６７で指定できる宛先として登録されている宛先の中から、ユーザが選択した宛先を、第２の宛先指定キー７７で指定できる宛先として登録する宛先登録部を備える。この宛先登録部は、図１に示す制御部３、表示部９、操作部１１、ＲＯＭ１９及びＲＡＭ２１等により実現される。  
【００３６】
図６は上記宛先登録部を利用して宛先を登録する時に、タッチパネル４３に表示される操作画面１０１を示している。操作画面１０１には、第１の宛先指定キー６７で指定できる宛先として登録されている宛先１０３の一覧が含まれる。１ページに６件の宛先が表示され、ページ切り替えボタン１０５を押すことにより、ページを切り替えることができる。
【００３７】
操作画面１０１に表示された宛先１０３の中から第２の宛先指定キー７７で指定できる宛先として登録したい宛先１０３を押して選択する。選択終了後に登録キー１０７を押せば、選択された宛先１０３が第２の宛先指定キー７７で指定できる宛先として一括して自動的に登録される。
【００３８】
なお、本実施形態では上記一括登録の他に、図２の操作パネル４１を操作して、第２の宛先指定キー７７で指定できる宛先として登録したい宛先の情報（宛先名、番号等）を入力し、第２の宛先指定キー７７で指定できる宛先を一つずつ登録することもできる。
【００３９】
簡単操作モードでは、図４に示す操作画面７１上での各宛先画像（各第２の宛先指定キー７７）の表示位置を固定し、新たな宛先が登録された場合でもこれまでに登録された宛先の宛先画像の表示位置が移動しないようにされている。言い換えれば、簡単操作モードで指定できる宛先については、宛先を登録する場合に割込みができないようにされている。簡単操作モードでは第２の宛先指定キー７７で指定できる宛先数が少ないので、ユーザが宛先を操作画面７１の表示位置で記憶する場合があることを考慮したものである。
【００４０】
第２の宛先指定キー７７で指定できる宛先が未登録の場合に、図４の操作画面７１の宛先表７５が空欄になることを防止するために、本実施形態に係る通信端末装置１は、次の宛先割当部を備える。
【００４１】
宛先割当部は、第１の宛先指定キー６７で指定できる宛先が登録済みで、かつ第２の宛先指定キー７７で指定できる宛先が未登録の場合に機能する。その場合に第１の宛先指定キー６７で指定できる宛先の中から、所定数の宛先（例えば第１番目から第３０番目の宛先）を第２の宛先指定キー７７で指定できる宛先として割り当てる。これにより、第２の宛先指定キー７７で指定できる宛先が未登録の場合でも、操作画面７１の宛先表７５には、上記第１番目から第３０番目の宛先が表示される。宛先割当部は、図１に示す制御部３、ＲＯＭ１９及びＲＡＭ２１等により実現される。
【００４２】
本実施形態では、宛先が図１の公衆電話回線１７を利用したファクシミリ通信でのファクシミリ番号の場合で説明したが、インターネットを利用したファクシミリ通信では、ＩＰ電話でのファクシミリ番号やメールアドレスが宛先となる。
【図面の簡単な説明】
【００４３】
【図１】本実施形態に係る通信端末装置１の構成を示すブロック図である。
【図２】通信端末装置１に備えられる操作パネル４１の一例の平面図である。
【図３】通信端末装置１に備えられるタッチパネル４３に表示された操作画面６１（通常操作モードにおけるファクシミリの操作画面）を示す図である。
【図４】通信端末装置１に備えられるタッチパネル４３に表示された操作画面７１（簡単操作モードにおけるファクシミリの操作画面その１）を示す図である。
【図５】通信端末装置１に備えられるタッチパネル４３に表示された操作画面８５（簡単操作モードにおけるファクシミリの操作画面その２）を示す図である。
【図６】通信端末装置１に備えられるタッチパネル４３に表示された操作画面１０１（宛先登録部を利用して宛先を登録する時にタッチパネル４３に表示される操作画面）を示す図である。
【符号の説明】
【００４４】
１・・・通信端末装置、３・・・制御部、５・・・画像読取部、７・・・画像記録部、９・・・表示部、１１・・・操作部、１３・・・モデム、１５・・・ＮＣＵ、１７・・・公衆電話回線、１９・・・ＲＯＭ、２１・・・ＲＡＭ、２３・・・画像メモリ、２５・・・ハードディスク、２７・・・コーデック、２９・・・ＬＡＮインターフェース、３１・・・ＬＡＮ、３３・・・バス、４１・・・操作パネル、４３・・・タッチパネル、４５・・・モード選択キー、４７・・・テンキー、４９・・・スタートキー、５１・・・クリアキー、５３・・・リセットキー、５５・・・割込みキー、６１・・・操作画面、６３・・・設定キー、６５・・・宛先表、６７・・・第１の宛先指定キー、６９・・・ページ切り替えボタン、７１・・・操作画面、７３・・・設定キー、７５・・・宛先表、７７・・・第２の宛先指定キー、７９・・・ページ切り替えボタン、８１・・・タブ、８３・・・テンキー、８５・・・操作画面、８７・・・番号入力欄、８９・・・リセットキー、９１・・・クリアキー、９３・・・割込みキー、１０１・・・操作画面、１０３・・・宛先、１０５・・・ページ切り替えボタン、１０７・・・登録キー
【図１】
2009177525.tif 000003
【図２】
2009177525.tif 000004
【図３】
2009177525.tif 000005
【図４】
2009177525.tif 000006
【図５】
2009177525.tif 000007
【図６】
2009177525.tif 000008